(57)【特許請求の範囲】
【請求項１】
内部機構を収容する筐体と、
前記筐体内に設けられ、描画される爪を有する指が挿入され、前記爪を露出する開口部を有する第１指挿入部と、
前記筐体内に移動可能に設けられ、一端に第１の開口端を有する筒状部材を有し、前記第１の開口端から温風を送出する温風送出機構と、
を備え、
前記第１指挿入部は、前記開口部の縁を形成する縁部を有し、
前記温風送出機構の前記第１の開口端は、前記温風が前記筒状部材から前記筐体内に漏れないように前記縁部に接続可能な形状を有し
前記温風送出機構は、予め設定された乾燥位置に移動したとき、前記第１の開口端を前記縁部に接続して、前記温風を前記第１指挿入部内に供給することを特徴とする描画装置。
【請求項２】
前記第１の開口端と前記縁部とは、互いに嵌合する形状を有していることを特徴とする請求項１に記載の描画装置。
【請求項３】
前記筐体内に設けられ、前記描画が行われない爪を有する指が挿入され、前記筐体の内部空間に対して仕切られ、前記指が挿入される側が外部に開口している第２指挿入部を有し、
前記第１指挿入部は、前記第２指挿入部と連通する排気用連通口を有し、
前記温風送出機構から前記第１指挿入部内に供給される前記温風は、前記排気用連通口及び前記第２指挿入部を介して、前記筐体から外部に排出されることを特徴とする請求項１又は２に記載の描画装置。
【請求項４】
前記第１指挿入部は、挿入される前記指の前記爪の先端部を載置可能な爪載置台を有し、
前記爪載置台は、前記温風送出機構より供給される前記温風を前記爪側に流す複数の貫通部を有していることを特徴とする請求項１乃至３の何れか１項に記載の描画装置。
【請求項５】
前記第１指挿入部が上面に設けられる平面状の載置台を有し、
前記温風送出機構は、前記筒状部材内に配置され、空気を吸引して空気を前記第１の開口端側に向けて流す吸気ファンと、前記空気を温めて前記温風を発生させるヒーターと、備え、
前記吸気ファンは、吸引した前記空気を、前記空気の吸引方向と直交する方向に流すシロッコファンであり、
前記筒状部材は、前記載置台に直交する方向に延びて形成されていることを特徴とする請求項１乃至４の何れか１項に記載の描画装置。
【請求項６】
前記筐体の一面に設けられ、外部から空気を取り込むことが可能な吸気口を有する吸気部を有し、
前記筒状部材は、前記空気を吸引する上流側に第２の開口端を有し、
前記温風送出機構が前記乾燥位置に移動されたときに、前記第２の開口端が前記吸気口に連通することを特徴とする請求項１乃至５の何れか１項に記載の描画装置。
【請求項７】
前記吸気部は、前記吸気口と、前記筐体の前記一面の内面に沿ってスライド可能に設けられ、前記吸気口を開閉可能とする開閉部材と、前記開閉部材を前記吸気口が閉じる方向に付勢する付勢部材と、有し、
前記吸気口は、前記温風送出機構が前記乾燥位置に移動されたときに、前記開閉部材が前記筒状部材の前記第２の開口端により前記付勢部材の付勢力に抗して開く方向に押されてスライドすることにより、開くとともに前記筒状部材の前記第２の開口端に連通し、前記温風送出機構が前記乾燥位置にないときには、前記開閉部材によって閉塞されていることを特徴とする請求項６に記載の描画装置。
【発明の詳細な説明】
【技術分野】
【０００１】
本発明は、描画装置に関する。
【背景技術】
【０００２】
従来、指の爪にネイルデザインを描画する描画部を備える描画装置が提案されている。例えば、特許文献１には、インクジェット印刷技術を用い、手指の爪及び足指の爪にインクを塗布してネイルデザインを描画する技術が記載されている。
【０００３】
ところで、描画装置において爪に塗布されたインクが乾燥する前に、何かが爪に触れると、ネイルデザインに擦れ傷がついたりするので、インクが乾燥するまで待つ必要がある。このような待ち時間があると、各爪にネイルデザインを塗り終わるまでに時間がかかるという不具合がある。
【０００４】
一方、特許文献２には、通常の印刷用プリンタにおいて乾燥用のドライヤーを設ける構成が開示されている。ネイルデザインを描画する描画装置においても、特許文献２のように装置内にドライヤーを設けるようにすれば乾燥時間を短縮することが可能であると考えられる。しかしながら、比較的小型に形成される描画装置で、ドライヤーの熱風が筐体内に拡散すると、筐体内の温度を上昇させることになるため、描画部のインクや描画装置を構成する各種電子部品等に熱による影響を与えるおそれがある。
【先行技術文献】
【特許文献】
【０００５】
【特許文献１】特表２００３−５３４０８３号公報
【特許文献２】特開２０１０―１５８８３９号公報
【発明の概要】
【発明が解決しようとする課題】
【０００６】
本発明は、上記のような事情に鑑みなされたものであり、爪に塗布されたインクの乾燥を短時間で行うことができるとともに、描画部のインクや描画装置を構成する各種電子部品等に熱による影響を与えることを抑制することができる描画装置を提供することを目的とする。
【課題を解決するための手段】
【０００７】
本発明は、以下の構成によって把握される。
本発明の描画装置は、内部機構を収容する筐体と、前記筐体内に設けられ、描画される爪を有する指が挿入され、前記爪を露出する開口部を有する第１指挿入部と、前記筐体内に移動可能に設けられ、一端に第１の開口端を有する筒状部材を有し、前記第１の開口端から温風を送出する温風送出機構と、を備え、前記第１指挿入部は、前記開口部の縁を形成する縁部を有し、前記温風送出機構の前記第１の開口端は、前記温風が前記筒状部材から前記筐体内に漏れないように前記縁部に接続可能な形状を有し前記温風送出機構は、予め設定された乾燥位置に移動したとき、前記第１の開口端を前記縁部に接続して、前記温風を前記第１指挿入部内に供給することを特徴とする。
【発明の効果】
【０００８】
本発明によれば、温風を効果的に流動させることでインクの乾燥を短時間で行うことができ、しかも、温風による筐体内の温度上昇が抑制できて、インクや各種電子部品に熱影響を与えない描画装置を提供することができる。
【図面の簡単な説明】
【０００９】
【図１】本発明の第１実施形態に係る描画装置の外観を示す斜視図である。
【図２】図１において筐体をＡ−Ａ線で切断してみた図であり、描画を行う際の装置内の状態を示す図である。
【図３】図１において筐体をＡ−Ａ線で切断してみた図であり、乾燥を行う際の装置内の状態を示す図である。
【図４】第１実施形態に係る指固定部及びダクトの分解斜視図である。
【図５】第１実施形態に係る指固定部及びドライヤーの斜視図である。
【図６】第１実施形態に係る指固定部及びドライヤーの断面図である。
【図７】（ａ）は第１実施形態に係る比較例１の構成を示す図であり、（ｂ）は第１実施形態に係る比較例２の構成を示す図である。
【図８】本発明の第２実施形態に係る描画装置の外観を示す斜視図である。
【図９】図８において筐体をＢ−Ｂ線で切断してみた図であり、描画を行う際の装置内の状態を示す図である。
【図１０】図８において筐体をＢ−Ｂ線で切断してみた図であり、乾燥を行う際の装置内の状態を示す図である。
【図１１】第２実施形態に係る筐体を裏側からみた斜視図である。
【図１２】図１１のＣ部拡大図である。
【図１３】第２実施形態に係る指固定部及びドライヤーの斜視図である。
【図１４】第２実施形態に係る指固定部及びダクトの分解斜視図である。
【図１５】第２実施形態に係るドライヤーの分解斜視図である。
【図１６】第２実施形態に係るドライヤーの斜視図である。
【図１７】（ａ）は第２実施形態に係る比較例３の構成を示す図であり、（ｂ）は第２実施形態に係る比較例４の構成を示す図である。
【図１８】第２実施形態の変形例に係るドライヤーの斜視図である。
【発明を実施するための形態】
【００１０】
以下、添付図面を参照して、本発明を実施するための形態（以下、「実施形態」と称する）について詳細に説明する。なお、実施形態の説明の全体を通して同じ要素には同じ番号を付している。
【００１１】
また、以下の実施形態では、描画装置は手の指の爪の表面を描画対象面として、これに描画するものとして説明するが、本発明の描画対象面は手の指の爪の表面に限るものではなく、例えば足の指の爪の表面を描画対象面としてもよい。
【００１２】
（第１実施形態）
本発明に係る描画装置の第１実施形態を、図１から図６に基づいて説明する。
まず、描画装置の基本構成を図１〜図３に基づいて説明する。
図１に示すように、描画装置１０は、例えば、描画機能及び印刷機能を備え、これらを組み合わせて人の指１２の爪１１にネイルデザインを施す装置である。描画装置１０は、描画部１３（図２参照）などの内部機構を収容する箱状の筐体２０を備え、この筐体２０の上面（天板）には、表示部２１や操作部２２が設けられる。また、筐体２０の正面部２０ａの下部中央には、第１指挿入部２３の挿入口２３ａが開口しており、さらに、この第１指挿入部２３の下側には、第２指挿入部２５の挿入口２５ａが開口している。この第２指挿入部２５は、筐体２０の正面部２０ａから装置奥側に向けて形成されるとともに、１つの手の描画する指１２以外の指が挿入される空間であって、筐体２０の内部空間に対し仕切られた（連通していない）空間である。
【００１３】
表示部２１は、液晶ディスプレイ（ＬＣＤ：Ｌｉｑｕｉｄ  Ｃｒｙｓｔａｌ  Ｄｉｓｐｌａｙ）、有機エレクトロルミネッセンスディスプレイなど各種のフラットディスプレイである。また、表示部２１は、操作部２２の一部の機能を兼ね備えたタッチパネル式でもよく、タッチパネル式である場合、例えば、指先やスタイラスペン又は先の尖った棒状の筆記具などによって表示部２１の表面を触るタッチ操作によって、ユーザーからの指示を取り込むようにしてもよい。
【００１４】
図２に示すように、筐体２０内の下部には、指載置台２６が設けられ、指載置台２６の上面には、指固定部３０が設けられる。指固定部３０の内部空間は、第１指挿入部２３を形成するための空間であり、この空間には、昇降機構３１が設けられる。昇降機構３１は、例えば、指１２が正確な位置に挿入された状態において空気が注入されることにより膨らんで指固定部３０内に指１２を固定する、袋状の構造を有して構成されている。また、指固定部３０の装置奥側の上部には、挿入された指１２の爪１１を露出する開口部３２が形成される。なお、指固定部３０のさらに詳しい構成は後述する。
【００１５】
筐体２０内には、固定板１７が装置幅方向及び装置奥行き方向に移動可能に設けられる。この固定板１７を移動させる手段は、各種の駆動源及び各種の動力伝達手段によって任意に構成可能である。この固定板１７の左右一側（この例では左側）には、描画部１３及び印刷部１５が隣接して固定され、左右他側（この例では右側）には、ドライヤー（温風送出機構）５０が固定される。さらに、描画部１３とドライヤー５０の間には、画像取得部１６が設けられる。なお、図２では、描画部１３を開口部３２の直上に移動させたときの装置の内部を示している。
【００１６】
描画部１３は、爪１１に描画を施すペン１３ａを備える。ペン１３ａは、例えば、下地用の白色のインクを内部に有する。描画部１３は、装置幅方向及び装置奥行き方向に固定板１７と一体的に移動可能であり、かつ、ステッピングモータ等の駆動手段１３ｂにより昇降可能である。描画部１３は、指固定部３０の開口部３２の直上に移動した後、爪１１の表面に接するように下降させたペン１３ａのペン先で、爪１１の表面に例えば下地を描画する。なお、描画部１３は、ペン１３ａとして、上記の下地用のものだけでなく、さらに、種々の色や種々の種類のインクを有する描画用のものを備え、これを用いて爪１１に種々の絵柄を描画することができるものであってもよい。
【００１７】
印刷部１５は、インクジェット方式等の印刷ヘッド１５ａと、インクジェットカートリッジ１５ｂとを備え、爪１１に対して印刷ヘッド１５ａによるネイルデザインの印刷を行う。印刷部１５は、装置幅方向及び装置奥行き方向に固定板１７と一体的に移動可能であり、指固定部３０の開口部３２の直上に移動し、爪１１の表面に印刷ヘッド１５ａで所望のデザインを印刷する。
【００１８】
画像取得部１６は、フレーム１６ａと、フレーム１６ａに固定されるカメラ１６ｂと、カメラ１６ｂを囲うように配置される複数の光源１６ｃとを備える。光源１６ｃは、カメラ１６ｂによる撮影の際に指１２及びその周辺を照明する。光源１６ｃには、白色ＬＥＤなどを好適に用いることができる。カメラ１６ｂは、光源１６ｃによって照明された指１２及びその周辺を撮影するものであり、例えば、２００万画素程度又はそれ以上の画素数を有するものを好適に用いることができる。
【００１９】
図３に示すように、ドライヤー５０は、筐体２０の背面部２０ｂに設けた吸気部２８から外気を取り込み、この外気を概ね４０℃から５０℃程度の温度に温めて温風とし、この温風により、指固定部３０に固定された指１２の爪１１に塗布されたインクを乾燥させる機能を有する。なお、図３では、ドライヤー５０を指固定部３０に接続させる位置に移動させたときの、描画装置１０の内部の状態を示しており、この状態において、ドライヤー５０の下流端は、指固定部３０の開口部３２に嵌合するように接続される。
【００２０】
次に、指固定部３０及びその周辺の構成と、ドライヤー５０の構成を図４〜図６に基づいて説明する。
【００２１】
図４に示すように、指固定部３０は、第１指挿入部２３に挿入された指１２を固定する部分であって、指載置台２６（図３参照）に固定される左右の接地部３３を有する。また、指固定部３０は、これら左右の接地部３３のそれぞれから上方に形成される左右の側壁３６と、左右の側壁３６の装置手側の上端を連結する上壁３７と、左右の側壁３６の装置奥側の下端を連結する連結部３８と、連結部３８に立設される爪載置台４１とを有する。さらに、指固定部３０は、爪載置台４１の上側及び装置奥側が開口した開口部３２を有し、かつ、連結部３８を除いて下部が開放している。
【００２２】
爪載置台４１は、爪１１の先端側の爪先部１１ａ（図６参照）が上面に載置されて、爪１１を支持して、爪１１の上面の高さを略一定にするものであり、上下方向に長い縦長の形状に形成される。爪載置台４１には、上下方向に沿ってスリット状の複数の貫通部４１ａが形成される。これら複数の貫通部４１ａは、爪載置台４１の幅方向に並んで設けられる。複数の貫通部４１ａは、ドライヤー５０より爪載置台４１の装置奥側から供給された温風を爪載置台４１に載置された爪１１側に流す作用をなす。
【００２３】
図５に示すように、ドライヤー５０は、筒状のダクト（筒状部材）５１を備える。このダクト５１は、ドライヤー５０を指固定部３０に接続させる位置に移動させたときに、筐体２０の背面部２０ｂに設けられた吸気部２８（図３参照）と指固定部３０の開口部３２の間に配管されるように、筐体２０の背面部２０ｂ（図３参照）側から正面側に向けて斜め下方に延びて形成されている。
【００２４】
図６に示すように、ダクト５１は、その上流側の開口端（第２の開口端）５１ａが吸気部２８（図３参照）に接続可能であるとともに、その下流側の開口端（第１の開口端）５１ｂが指固定部３０の開口部３２に連通するように接続可能であり、開口部３２と接続された状態において、温風を指固定部３０内に供給可能である。この下流側の開口端５１ｂは、指固定部３０の開口部３２に対し、開口部３２を形成している側壁３６および上壁３７の縁部５３に、温風が指固定部３０の開口部３２及びダクト５１の開口端５１ａから筐体２０内に漏れ出ないように接する形状を有している。これにより、開口端５１ｂが開口部３２の縁部５３に接することにより、開口端５１ｂと開口部３２とが連通して温風が筐体２０内に漏れないように接続される。更には、開口端５１ｂと指固定部３０の開口部３２の縁部５３とが互いに嵌合するように形成されていることが好ましい。更には、下流側の開口端５１ｂの縁に沿ってシール部材５２（図４参照）を設け、指固定部３０の開口部３２の縁部５３に沿って溝部（図４参照）を設け、開口端５１ｂを開口部３２の縁部５３に嵌合させる際に、シール部材５２を溝部５３に嵌め込むようにして、下流側の開口端５１ｂと指固定部３０の開口部３２とを密着させて、高いシール性を有して（密封状態で）接続するようにしてもよい。
【００２５】
さらに、図６に示すように、ダクト５１の内部には、吸気ファン５５と、ヒーター５６及びヒートシンク５７とが設けられる。吸気ファン５５は、ダクト５１の上流側の開口端５１ａ近傍に配置され、取り込んだ外気を、ヒーター５６を介して開口部３２側に送る。ヒーター５６及びヒートシンク５７は、吸気ファン５５の下流側に配置されており、開口部３２に向けて流れる外気を温めて温風を発生させる。ダクト５１の内面であって下流側の開口端５１ｂ近傍には、下流側の開口端５１ｂに向けて流れる温風の向きを爪載置台４１の上部に向けた方向に変える方向変換板５８が設けられる。
【００２６】
また、図６において、指載置台２６には、排気用連通部４２が設けられる。この排気用連通部４２は、指固定部３０の下部と第２指挿入部２５とを連通し、指固定部３０に供給された温風を第２指挿入部２５側に逃がして挿入口２５ａ（図１参照）から排気させる。また、更に、指載置台２６の下面の排気用連通部４２と連通する位置に排気ファン４３を設けて、排気ファン４３により指固定部３０に供給された温風を第２指挿入部２５側に吸引するようにしてもよい。
【００２７】
（第１実施形態の動作）
続いて、描画装置１０の動作について説明する。
描画装置１０では、描画部１３及び印刷部１５によって爪１１にネイルデザインが描画・印刷された後、ドライヤー５０が固定板１７とともに移動し、ダクト５１の下流側の開口端５１ｂが指固定部３０の開口部３２に嵌合して接続される。
次に、吸気ファン５５及びヒーター５６が作動して、吸気部２８から取り込んだ外気がヒーター５６によって温められ、ヒートシンク５７のフィン間を抜けて温風となり、指固定部３０に供給される（図６、矢印（１））。この温風は、開口部３２の上部から指固定部３０に流れ（図６、矢印（２））、あるいは、開口部３２の装置奥側から爪載置台４１に向けて流れる（図６、矢印（３））ようにして、爪１１に吹き付けられ、爪１１の表面に塗布されたインクを乾燥させる。この際、爪載置台４１に向けて流れる温風（図６、矢印（３））は、方向変換板５８によって爪載置台４１側に良好に流れるとともに、貫通部４１ａによって爪載置台４１を通過して爪１１側に流れ易くなる。
【００２８】
このように爪１１に対して上方及び装置奥側から吹き付けられる温風により、爪１１に塗布されたインクが効率的に乾燥される。そして、指固定部３０に供給された温風は、排気用連通部４２を介して第２指挿入部２５側に逃げ（図６、矢印（４））、第２指挿入部２５の挿入口２５ａ（図１参照）から筐体２０の正面側に排気される。
【００２９】
（第１実施形態の効果）
以上、説明した第１実施形態によれば、爪１１の表面に塗布されたインクを乾燥させる際に、ダクト５１、指固定部３０及び第２指挿入部２５により、筐体２０の内部空間とは仕切られた略密閉型の空気通路を構成し、この密閉型の空気通路の中に爪１１を置く構造が形成される。このため、温風が筐体２０の内部空間に拡散することを防止できる。
【００３０】
仮に、図７（ａ）に示すように、筐体２０Ｃ内に単に設けたドライヤー５０Ｃにより、爪１１に対して爪先１１ａ側（装置奥側）から斜めに温風Ｆを吹き付けたり、図７（ｂ）に示すように、爪１１に対して上方から温風Ｆを吹き付けたりする場合、温風Ｆが爪１１の一部にしか吹き付けられず、また温風Ｆの大部分が指１２の周りにおいて筐体２０Ｃ内に拡散してしまう。この場合、インクの乾燥に時間がかかるとともに、筐体２０Ｃ内の温度上昇により、筐体２０Ｃ内のインクや各種電子部品が熱による影響を受けるおそれがある。
【００３１】
この点、本実施形態では、温風が筐体２０の内部空間に拡散することが抑制されるため、温風を爪１１に効果的に吹き付けてインクの乾燥を短時間で行うことができるとともに、筐体２０内の温度上昇を防いで、筐体２０内のペン１３ａやインクジェットカートリッジ１５ｂが有するインクや、印刷部１５、描画部１３などの各種電子部品に熱による影響を与えることのない描画装置１０を提供することができる。
【００３２】
（第２実施形態）
次に、本発明に係る描画装置の第２実施形態を、図８〜図１６に基づいて説明する。なお、前述した第１実施形態と共通する要素には同じ符号を付して、重複する説明を省略することとする。
【００３３】
図８に示すように、第２実施形態に係る描画装置１０Ａでは、第１指挿入部２３よりも上方位置でかつ筐体２０の正面部２０ａに吸気部２８Ａが設けられる。吸気部２８Ａは、筐体２０に形成されるスリット状の複数の吸気口６１を有する。
【００３４】
また、図９及び図１０に示すように、ドライヤー５０Ａにおいて、吸気ファン５５Ａがシロッコファンで構成される。なお、図９では、描画部１３を開口部３２Ａの直上に移動させたときの描画装置１０Ａの内部の状態を示し、図１０では、ドライヤー５０Ａを指固定部３０Ａに接続させる位置に移動させたときの描画装置１０Ａの内部の状態を示している。
【００３５】
図８、図１１及び図１２に示すように、吸気部２８Ａは複数の吸気口６１を有し、筐体２０の内面のレール６２（ここでは、上下一対のＬ字状のリブ）に沿ってスライド可能に設けられ、吸気口６１を開閉する開閉部材６３と、開閉部材６３を、複数の吸気口６１が閉じる方向に付勢する付勢部材６５と、により構成される。開閉部材６３は、複数の吸気口６１（図８参照）に対応したスリット状の複数の窓部６３ａを有する。付勢部材６５には、各種のバネを用いることができるが、例えば、筐体２０側から突出する円柱突起６６に嵌合されるとともに開閉部材６３の側端の突起６７に弾性的に接触する圧縮コイルバネを用いることができる。
【００３６】
複数の吸気口６１（図８参照）は、描画部１３及び印刷部１５によって爪１１に対するネイルデザインの描画・印刷が施されている間で、ダクト５１Ａが指固定部３０Ａに接続されていない位置にドライヤー５０Ａがある状態では、開閉部材６３の格子部６３ｂによって閉塞されている。一方、ダクト５１Ａが指固定部３０Ａに接続される位置にドライヤー５０Ａが移動した状態では、開閉部材６３がダクト５１Ａに押されて、開閉部材６３は付勢部材６５の付勢力に抗して吸気口６１が開く方向にスライドする。これにより、複数の吸気口６１（図８参照）は、複数の窓部６３ａとの左右方向の位置が略一致して、開くとともにダクト５１Ａと連通する。
【００３７】
図１３に示すように、指固定部３０Ａは、その装置奥側の部分４５が閉塞された形状に形成される。また、図１４に示すように、指固定部３０Ａは、その上部に上方のみに開口した開口部３２Ａを有する。
【００３８】
図１５に示すように、ダクト５１Ａは、ダクト本体５１ｃと、このダクト本体５１ｃの下端部から装置奥側に向けて突出した突出部５１ｄとから構成される。ダクト本体５１ｃは、筐体２０の正面部２０ａ（図１１参照）の内面に沿って、載置台２６に直交する、垂直方向に延びて形成される。ダクト本体５１ｃの上部には、吸気部２８Ａに接続可能な上流側の開口端５１ａが装置手前側に開口して設けられ、突出部５１ｄの先端部側の下面には、指固定部３０Ａの開口部３２Ａ（図１４参照）に接続可能な下流側の開口端５１ｂが下方に開口して設けられる。この下流側の開口端５１ｂは、第１実施形態と同様に、指固定部３０Ａの開口部３２Ａに対し、開口部３２Ａの全体を覆うことにより、開口部３２と連通するように接続可能である。更には、開口端５１ｂが指固定部３０Ａの開口部３２Ａに対して嵌合するように形成されていることが好ましい。更には、下流側の開口端５１ｂの縁に沿ってシール部材５２（図１４参照）を設け、指固定部３０Ａの開口部３２Ａの縁に沿って溝部５３（図１４参照）を設け、開口端５１ｂを開口部３２に嵌合させる際に、シール部材５２を溝部５３に嵌め込むようにして、下流側の開口端５１ｂと指固定部３０Ａの開口部３２Ａとを密着させて、高いシール性を有して（密封状態で）接続するようにしてもよい。
【００３９】
図１５に示すように、吸気ファン５５Ａは、上流側の開口端５１ａの近傍に設けられ、取り込んだ外気の流れを直角下方に変換するシロッコファンであり、吸気ファン５５Ａの下方でかつダクト本体５１ｃの下部には、ヒーター５６及びヒートシンク５７が配置される。
【００４０】
（第２実施形態の動作）
続いて、描画装置１０Ａの動作について説明する。
描画装置１０Ａでは、描画部１３及び印刷部１５によって爪１１にネイルデザインが描画・印刷された後、ドライヤー５０Ａが固定板１７とともに移動し、ダクト５１Ａが開閉部材６３を開き方向にスライドさせ、ダクト５１Ａの上流側の開口端５１ａが吸気口６１と連通する。これと同時に、ダクト５１Ａの下流側の開口端５１ｂが指固定部３０Ａの開口部３２Ａに嵌合して接続される。
次に、吸気ファン５５Ａ及びヒーター５６が作動して、吸気部２８Ａから取り込んだ外気の流れ（図１６、矢印（５））の向きがシロッコファン（吸気ファン５５Ａ）により直角下方に変換される（図１６、矢印（６））。シロッコファン（吸気ファン５５Ａ）から下方に向けて流れた外気は、ヒーター５６によって温められ、ヒートシンク５７のフィン間を抜けて温風となり、ダクト５１Ａの下流側の開口端５１ｂに送られる（図１６、矢印（７））。そして、ダクト５１Ａの下流側の開口端５１ｂから下方に流れ（（図１６、矢印（８））、開口部３２Ａを介して爪載置台４１に供給される。
【００４１】
これにより、温風が、爪１１に対して真上から吹き付けられ、爪１１に塗布されたインクを乾燥させる。そして、指固定部３０Ａに供給された温風は、第１実施形態に係る描画装置１０と同様に、排気用連通部４２を介して第２指挿入部２５側に逃げ、第２指挿入部２５の挿入口２５ａから筐体２０の正面部２０ａ側に排気される。
また、更に、指載置台２６の下面に排気用連通部４２と連通する排気ファン４３が設けられている場合には、排気ファン４３により指固定部３０Ａに供給された温風が第２指挿入部２５側に吸引されて、挿入口２５ａから筐体２０の正面部２０ａ側に排気される。
ドライヤー５０Ａによる爪１１に塗布されたインクの乾燥が終了すると、ダクト５１Ａの下流側の開口端５１ｂが開閉部材６３から離れるように動作するため、付勢部材６５の付勢力によって開閉部材６３が元の位置（閉じ位置）に戻り、複数の吸気口６１が複数の格子部６３ｂによって閉塞される。
【００４２】
（第２実施形態の効果）
以上、説明した第２実施形態によれば、第１実施形態に係る描画装置１０と同様に、爪１１の表面に塗布されたインクを乾燥させる際に、ダクト５１Ａ、指固定部３０Ａ及び第２指挿入部２５により、筐体２０の内部空間とは仕切られた密閉型の空気通路を構成し、この密閉型の空気通路の中に爪１１を置く構造が形成される。このため、温風が筐体２０の内部空間に拡散することを防止できる。これにより、温風を効果的に爪１１に吹き付けてインクの乾燥を短時間で行うことができるとともに、筐体２０内の温度上昇を防いで、筐体２０内のインクや、印刷部１５、描画部１３などの各種電子部品に熱による影響を与えない描画装置１０Ａを提供することができる。
【００４３】
加えて、第２実施形態では、筐体２０の正面部２０ａに吸気部２８Ａを設けるとともに、筐体２０の正面部２０ａの内面に沿ってダクト５１Ａ（ダクト本体５１ｃ）を配管し、そして、吸気ファン５５Ａをシロッコファンで構成することによって、短いダクト５１Ａであっても、温風を爪１１に対して真上から吹き付けることができる。
【００４４】
これに対して、図１７（ａ）に示すように、ダクト５１ｆを背面部２０ｂに設けられている吸気部２８の側から斜め下方に配管した場合や、図１７（ｂ）に示すように、爪１１の直上においてダクト５１ｆを上下方向に沿って配管するとともに、背面部２０ｂに設けられている吸気部２８に接続されるように配管した場合、吸気部２８が筐体２０の背面部２０ｂにあるために、ダクト５１ｆの全長（吸気部２８から下流側の開口端５１ｂまでの経路）が比較的長くなってしまい、装置の奥行き寸法が大きくなる問題が生じる。
【００４５】
この点、第２実施形態では、ダクト５１Ａは正面部２０ａに設けられている吸気部２８Ａに接続されるように構成されているため、図１７に示したようなダクト５１ｆが背面部２０ｂの吸気部２８に接続されるような場合に比べて、ダクト５１Ａの全長を短くできて、描画装置１０Ａの奥行き寸法の短縮化が図れ、描画装置１０Ａの小型化を実現することができる。また、シロッコファンは、軸流ファンに比べて、ダクトなどの配管圧損がある場合にも効率よく多くの空気を送ることができるファンである。このため、シロッコファンを吸気ファン５５Ａとして用いる構成とした第２実施形態（後述する変形例を含む）は、より効率的に爪１１に塗布されたインクの乾燥を行うことができる。
更に、第２実施形態では、吸気部２８Ａの複数の吸気口６１は、描画装置１０Ａを使用していないとき、及び、描画部１３及び印刷部１５によって爪１１に対するネイルデザインの描画・印刷が施されているときは開閉部材６３によって閉塞されている。そして、複数の吸気口６１は、ドライヤー５０Ａが移動してダクト５１Ａが指固定部３０Ａに接続される位置になったときにだけ開閉部材６３によって開いて、ダクト５１Ａと連通するように構成されている。ここで、仮に吸気口６１が常時開いている場合には、この吸気口６１を介して筐体２０内に埃等の異物が進入してしまう可能性がある。この点、第２実施形態では、吸気口６１が開くのは爪１１に塗布されたインクを乾燥させるとくだけであり、しかも、そのときは、吸気口６１はダクト５１Ａと連通しており、これ以外のときには吸気口６１は閉塞されているため、吸気口６１を介して筐体２０内に埃等の異物が進入することを防ぐことができる。
【００４６】
（第２実施形態の変形例）
次に、第２実施形態の変形例に係るドライヤーを図１８に基づいて説明する。
図１８に示すように、この変形例に係るドライヤー５０Ａ１では、ダクト５１Ａ１を、ダクト本体５１ｃと、ダクト本体５１ｃの上端部から装置手前側に屈曲させて形成した筒状部５１ｅとからなるＬ字状に形成にする。これにより、シロッコファン（吸気ファン５５Ａ）から空気を下方に真っ直ぐに流動させ（（図１８、矢印（９））、温風が指固定部３０Ａ上の開口部３２Ａ直下に送り込まれる構成を得ることができる。このように構成すると、図１６に示されるドライヤー５０Ａのように空気の出口側の形状（突出部５１ｄの上壁など）を傾斜させる必要が無くなる。したがって、ドライヤー５０Ａ１では、空気を下方に真直ぐに送ることができ、空気の流れが良く、爪１１に効率よく多くの空気を吹き付けることができるので、更に効率よく爪１１に塗布されたインクの乾燥を行うことができる。
【００４７】
以下に、この出願の願書に最初に添付した特許請求の範囲に記載した発明を付記する。付記に記載した請求項の項番は、この出願の願書に最初に添付した特許請求の範囲の通りである。
＜請求項１＞
内部機構を収容する筐体と、
前記筐体内に設けられ、描画される爪を有する指が挿入され、前記爪を露出する開口部を有する第１指挿入部と、
前記筐体内に移動可能に設けられ、一端に第１の開口端を有する筒状部材を有し、前記第１の開口端から温風を送出する温風送出機構と、
を備え、
前記第１指挿入部は、前記開口部の縁を形成する縁部を有し、
前記温風送出機構の前記第１の開口端は、前記温風が前記筒状部材から前記筐体内に漏れないように前記縁部に接続可能な形状を有し
前記温風送出機構は、予め設定された乾燥位置に移動したとき、前記第１の開口端を前記縁部に接続して、前記温風を前記第１指挿入部内に供給することを特徴とする描画装置。
＜請求項２＞
前記第１の開口端と前記縁部とは、互いに嵌合する形状を有していることを特徴とする請求項１に記載の描画装置。
＜請求項３＞
前記筐体内に設けられ、前記描画が行われない爪を有する指が挿入され、前記筐体の内部空間に対して仕切られ、前記指が挿入される側が外部に開口している第２指挿入部を有し、
前記第１指挿入部は、前記第２指挿入部と連通する排気用連通口を有し、
前記温風送出機構から前記第１指挿入部内に供給される前記温風は、前記排気用連通口及び前記第２指挿入部を介して、前記筐体から外部に排出されることを特徴とする請求項１又は２に記載の描画装置。
＜請求項４＞
前記第１指挿入部は、挿入される前記指の前記爪の先端部を載置可能な爪載置台を有し、
前記爪載置台は、前記温風送出機構より供給される前記温風を前記爪側に流す複数の貫通部を有していることを特徴とする請求項１乃至３の何れか１項に記載の描画装置。
＜請求項５＞
前記第１指挿入部が上面に設けられる平面状の載置台を有し、
前記温風送出機構は、前記筒状部材内に配置され、空気を吸引して空気を前記第１の開口端側に向けて流す吸気ファンと、前記空気を温めて前記温風を発生させるヒーターと、備え、
前記吸気ファンは、吸引した前記空気を、前記空気の吸引方向と直交する方向に流すシロッコファンであり、
前記筒状部材は、前記載置台に直交する方向に延びて形成されていることを特徴とする請求項１乃至４の何れか１項に記載の描画装置。
＜請求項６＞
前記筐体の一面に設けられ、外部から空気を取り込むことが可能な吸気口を有する吸気部を有し、
前記筒状部材は、前記空気を吸引する上流側に第２の開口端を有し、
前記温風送出機構が前記乾燥位置に移動されたときに、前記第２の開口端が前記吸気口に連通することを特徴とする請求項１乃至５の何れか１項に記載の描画装置。
＜請求項７＞
前記吸気部は、前記吸気口と、前記筐体の前記一面の内面に沿ってスライド可能に設けられ、前記吸気口を開閉可能とする開閉部材と、前記開閉部材を前記吸気口が閉じる方向に付勢する付勢部材と、有し、
前記吸気口は、前記温風送出機構が前記乾燥位置に移動されたときに、前記開閉部材が前記筒状部材の前記第２の開口端により前記付勢部材の付勢力に抗して開く方向に押されてスライドすることにより、開くとともに前記筒状部材の前記第２の開口端に連通し、前記温風送出機構が前記乾燥位置にないときには、前記開閉部材によって閉塞されていることを特徴とする請求項６に記載の描画装置。
【符号の説明】
【００４８】
１０      描画装置
１０Ａ    描画装置
１１      爪
１１ａ    爪先（爪の先端部）
１２      指
２０      筐体
２０ａ    正面部
２０ｂ    背面部
２３      第１指挿入部
２３ａ    挿入口
２５      第２指挿入部
２５ａ    挿入口
２６      指載置台
２８      吸気部
２８Ａ    吸気部
３０      指固定部
３０Ａ    指固定部
３２      開口部
３２Ａ    開口部
４１      爪載置台
４１ａ    貫通部
４２      排気用連通部
５０      ドライヤー
５０Ａ    ドライヤー
５０Ａ１  ドライヤー
５１      ダクト
５１ａ    上流側の開口端
５１ｂ    下流側の開口端
５１Ａ    ダクト
５１Ａ１  ダクト
５５      吸気ファン
５５Ａ    吸気ファン
５６      ヒーター
６１      吸気口
６３      開閉部材
６５      付勢部材
【図１】
0006459509.tif 000002
【図２】
0006459509.tif 000003
【図３】
0006459509.tif 000004
【図４】
0006459509.tif 000005
【図５】
0006459509.tif 000006
【図６】
0006459509.tif 000007
【図７】
0006459509.tif 000008
【図８】
0006459509.tif 000009
【図９】
0006459509.tif 000010
【図１０】
0006459509.tif 000011
【図１１】
0006459509.tif 000012
【図１２】
0006459509.tif 000013
【図１３】
0006459509.tif 000014
【図１４】
0006459509.tif 000015
【図１５】
0006459509.tif 000016
【図１６】
0006459509.tif 000017
【図１７】
0006459509.tif 000018
【図１８】
0006459509.tif 000019